(57)【要約】【課題】着脱交換時の操作性が良好なワイパーカセット、当該ワイパーカセットを含むワイパーユニット、及び当該ワイパーユニットを備える液体噴射装置を提供する。【解決手段】インクを噴射する液体噴射ヘッドに付着したインクを払拭する長尺状のワイピング部材３０と、ワイピング部材３０の長手方向の一端を巻装する繰出ローラーと、ワイピング部材３０の長手方向の他端を巻装する巻取ローラー８２と、を備え、ワイパーホルダー３２に着脱自在に装着されるワイパーカセット３１において、巻取ローラー８２に支持された巻取歯車８５と、ワイパーホルダー３２からの取り外しの際に、その取り外し方向に荷重が作用する指掛部１００と、をさらに備え、指掛部１００は、ワイパーホルダー３２に装着された装着状態において、巻取歯車８５よりも取り外し方向側に位置する。【選択図】図８
2014094542.tif 000002
【特許請求の範囲】
【請求項１】
液体を噴射する液体噴射ヘッドに付着した前記液体を払拭する長尺状のワイピング部材と、
前記ワイピング部材の長手方向の一端を巻装する繰出ローラーと、
前記ワイピング部材の長手方向の他端を巻装する巻取ローラーと、を備え、ワイパーホルダーに着脱自在に装着されるワイパーカセットにおいて、
前記巻取ローラーに支持された巻取歯車と、
前記ワイパーホルダーからの取り外しの際に、その取り外し方向に荷重が作用する力点作用部と、をさらに備え、
前記力点作用部は、前記ワイパーホルダーに装着された装着状態において、前記巻取歯車よりも前記取り外し方向側に位置することを特徴とするワイパーカセット。
【請求項２】
前記繰出ローラーから前記巻取ローラーへの前記ワイピング部材の繰り出しにともなって従動回転する中継ローラーと、
前記ワイピング部材の繰出量を検出するために前記ワイパーホルダーに設けられた回転量検出部が有する検出歯車と噛合可能に前記中継ローラーに支持された中継歯車と、をさらに備え、
前記力点作用部は、前記装着状態において、前記中継歯車よりも前記取り外し方向側に位置することを特徴とする請求項１に記載のワイパーカセット。
【請求項３】
前記繰出ローラーと前記巻取ローラーとの間をなす方向である軸交差方向において、
前記繰出ローラーは、前記巻取ローラーと前記力点作用部との間に位置することを特徴とする請求項１又は請求項２に記載のワイパーカセット。
【請求項４】
前記力点作用部は、前記取り外し方向と交差する方向へ延設されていることを特徴とする請求項１〜請求項３のうち何れか一項に記載のワイパーカセット。
【請求項５】
前記装着状態において、前記ワイパーホルダーに係止される係止部をさらに備え、
前記巻取ローラーの軸線方向と交差する方向において、前記巻取ローラーは、前記力点作用部と前記係止部との間に位置することを特徴とする請求項１〜請求項４のうち何れか一項に記載のワイパーカセット。
【請求項６】
前記巻取ローラーが前記ワイピング部材を繰り出す方向に回転することを抑制する逆転抑制機構をさらに備えることを特徴とする請求項１〜請求項５のうち何れか一項に記載のワイパーカセット。
【請求項７】
前記逆転抑制機構は、前記巻取ローラーの軸線方向において、前記巻取歯車が支持される軸端部とは反対側の軸端部に設けられることを特徴とする請求項６に記載のワイパーカセット。
【請求項８】
前記逆転抑制機構は、
前記巻取ローラーと一体回転可能な内歯を有する回転体と、
前記内歯と噛合して、前記回転体の回転に対し従動回転可能な外歯歯車と、
前記巻取ローラーに対して回転不能な回転不能体と、を備え、
前記回転不能体は、前記外歯歯車を摺動させることで当該外歯歯車の回転を許容する回転許容部と、前記外歯歯車を係合させることで当該外歯歯車の回転を規制する回転規制部とを有し、
前記回転体は、前記外歯歯車と前記回転不能体とを前記軸線方向における外側から覆蓋する覆蓋部を有することを特徴とする請求項６又は請求項７に記載のワイパーカセット。
【請求項９】
請求項１〜請求項８のうち何れか一項に記載のワイパーカセットと、
前記ワイパーホルダーと、を備え、
前記ワイパーホルダーは、前記装着状態において、前記ワイピング部材を前記液体噴射ヘッドに当接させた状態で前記液体噴射ヘッドに対し相対的に移動可能であることを特徴とするワイパーユニット。
【請求項１０】
請求項９に記載のワイパーユニットと、
前記液体噴射ヘッドと、を備えることを特徴とする液体噴射装置。
【発明の詳細な説明】
【技術分野】
【０００１】
本発明は、液体を噴射する液体噴射ヘッドに付着した液体を払拭するワイパーカセット、当該ワイパーカセットを含むワイパーユニット、及び当該ワイパーユニットを備える液体噴射装置に関する。
【背景技術】
【０００２】
従来から、液体噴射装置の一種として、液体噴射ヘッドから液体を用紙等の記録媒体に噴射して画像等を形成するインクジェット式のプリンターが知られている。こうしたプリンターには、通常、液体噴射ヘッドからの液体の噴射特性を維持するためにヘッドメンテナンス装置が設けられている。
【０００３】
このようなヘッドメンテナンス装置としては、液体噴射ヘッドに付着した液体を払拭することで、メンテナンスを行うインク拭き取り装置がある（例えば、特許文献１）。そして、このインク拭き取り装置では、液体噴射ヘッドからインクを払拭するためのインク吸収体を搭載したカセットが、装置本体に対して着脱自在に構成されている。具体的には、カセットは、長尺状をなす未使用のインク吸収体がロール状に巻回された繰出ローラーと、この繰出ローラーから巻き解かれたインク吸収体における使用済みの部分を巻き取る巻取ローラーとを有している。そして、繰出ローラーに巻装されたインク吸収体の全量が送り出されてインク吸収体における未使用の部分が無くなった場合には、未使用のインク吸収体を繰出ローラーに巻装した新たなカセットが装置本体に対して装着される。
【先行技術文献】
【特許文献】
【０００４】
【特許文献１】特開２００５−２１２３５１号公報
【発明の概要】
【発明が解決しようとする課題】
【０００５】
ところで、上記のインク拭き取り装置では、カセットがプリンターに対して嵌合態様で装着されているため、カセットの着脱交換を容易に行うことができないという課題があった。
【０００６】
本発明は、このような課題に鑑みてなされたものであり、その目的は、着脱交換時の操作性が良好なワイパーカセット、当該ワイパーカセットを含むワイパーユニット、及び当該ワイパーユニットを備える液体噴射装置を提供することにある。
【課題を解決するための手段】
【０００７】
以下、上記課題を解決するための手段及びその作用効果について記載する。
上記課題を解決するワイパーカセットは、液体を噴射する液体噴射ヘッドに付着した前記液体を払拭する長尺状のワイピング部材と、前記ワイピング部材の長手方向の一端を巻装する繰出ローラーと、前記ワイピング部材の長手方向の他端を巻装する巻取ローラーと、を備え、ワイパーホルダーに着脱自在に装着される。さらに、同ワイパーカセットは、前記巻取ローラーに支持された巻取歯車と、前記ワイパーホルダーからの取り外しの際に、その取り外し方向に荷重が作用する力点作用部と、を備え、前記力点作用部は、前記ワイパーホルダーに装着された装着状態において、前記巻取歯車よりも前記取り外し方向側に位置する。
【０００８】
上記構成によれば、ワイパーホルダーからワイパーカセットを取り外す際に、使用者の手がかかることとなる力点作用部が、巻取歯車よりも取り外し方向（例えば上方向）側に位置する。このため、使用者が、ワイパーカセットを取り外すために力点作用部に手をかける際に、巻取歯車が邪魔となるおそれを低減でき、容易にワイパーカセットを取り外すことができる。従って、ワイパーカセットの着脱交換時の操作性を良好とすることができる。
【０００９】
上記ワイパーカセットは、前記繰出ローラーから前記巻取ローラーへの前記ワイピング部材の繰り出しにともなって従動回転する中継ローラーと、前記ワイピング部材の繰出量を検出するために前記ワイパーホルダーに設けられた回転量検出部が有する検出歯車と噛合可能に前記中継ローラーに支持された中継歯車と、をさらに備え、前記力点作用部は、前記装着状態において、前記中継歯車よりも前記取り外し方向側に位置することが望ましい。
【００１０】
例えば、取り外し方向が上方向である一方、装着方向が下方向であって、中継歯車が力点作用部よりも取り外し方向となる上方に位置した場合には、中継歯車と噛合する検出歯車はワイパーホルダーの取り外し方向となる上方に位置することとなる。こうした場合には、ワイパーホルダーにワイパーカセットを装着する際に、ワイパーカセットの取り外し方向の反対側の端部となる下端部が検出歯車に強く接触すると、回転量検出部などに衝撃が作用するおそれがある。このため、使用者は、注意深くワイパーカセットをワイパーホルダーに装着する必要がある。これに対し、上記構成によれば、中継歯車と噛合する検出歯車は力点作用部よりもワイパーホルダーからの取り外し方向の反対側に位置する。このため、検出歯車が力点作用部よりも取り外し方向側に位置する場合に比べ、少なくともワイパーカセットをワイパーホルダーに装着し始める際に注意を払う必要がない。従って、ワイパーカセットの装着時の操作性を良好とすることができる。
【００１１】
上記ワイパーカセットは、前記繰出ローラーと前記巻取ローラーとの間をなす方向である軸交差方向において、前記繰出ローラーは、前記巻取ローラーと前記力点作用部との間に位置することが望ましい。
【００１２】
液体噴射ヘッドに付着した液体を繰り返し払拭することで、巻取ローラーには、液体が付着して質量を増したワイピング部材が巻き取られる。すると、ワイパーカセットの重心位置は、未使用時と比べ、軸交差方向において巻取ローラー側に移動する。上記構成によれば、ワイパーカセットを取り外す際には、巻取ローラーから繰出ローラーを挟んで位置する力点作用部に、取り外しのための荷重が付与される。これより、使用者が力点作用部に手をかけてワイパーカセットを取り外す場合には、ワイパーカセットは巻取ローラー付近の重心位置を回動中心に傾動し易くなる。このため、ワイパーカセットを垂直に引き上げる場合に比して、少ない力でワイパーカセットを取り外すことができる。
【００１３】
上記ワイパーカセットにおいて、前記力点作用部は、前記取り外し方向と交差する方向へ延設されていることが望ましい。
上記構成によれば、取り外し方向と交差する方向に力点作用部が延設されているため、例えば、取り外し方向に力点作用部が延設されている場合に比べ、ワイパーホルダーからワイパーカセットを取り外す際における使用者の操作性を良好とすることができる。
【００１４】
上記ワイパーカセットは、前記装着状態において、前記ワイパーホルダーに係止される係止部をさらに備え、前記巻取ローラーの軸線方向と交差する方向において、前記巻取ローラーは、前記力点作用部と前記係止部との間に位置することが望ましい。
【００１５】
上記構成によれば、ワイパーホルダーに装着された状態のワイパーカセットは、係止部を介して、ワイパーホルダーに係止されている。このため、液体噴射ヘッドに付着した液体を払拭する際などにワイパーカセットに作用する力によって、ワイパーカセットがワイパーホルダーから不用意に取り外れることを抑制することができる。一方、ワイパーカセットをワイパーホルダーから取り外す際には、係止部は力点作用部から巻取ローラーを挟んだ位置にあるため、力点作用部を介してワイパーカセットを傾動させることで係止部によるワイパーホルダーに対する固定を容易に解除することができる。
【００１６】
上記ワイパーカセットは、前記巻取ローラーが前記ワイピング部材を繰り出す方向に回転することを抑制する逆転抑制機構をさらに備えることが望ましい。
上記構成によれば、既に液体を払拭したワイピング部材が巻取ローラーから繰り出されることで、ワイピング部材にたわみ等が生じることを抑制できる。すなわち、そのワイピング部材のたわみ等による払拭不良を抑制することができる。
【００１７】
上記ワイパーカセットにおいて、前記逆転抑制機構は、前記巻取ローラーの軸線方向において、前記巻取歯車が支持される軸端部とは反対側の軸端部に設けられることが望ましい。
【００１８】
上記構成によれば、既に巻取歯車が支持された巻取ローラーの軸端部とは反対側に逆転抑制機構が設けられるので、巻取ローラーの一方の軸端部にワイパーカセットの構成部材が集中することを抑制することができる。これによれば、ワイパーカセットの組み立て性やメンテナンス性を向上させることができる。
【００１９】
上記ワイパーカセットにおいて、前記逆転抑制機構は、前記巻取ローラーと一体回転可能な内歯を有する回転体と、前記内歯と噛合して、前記回転体の回転に対し従動回転可能な外歯歯車と、前記巻取ローラーに対して回転不能な回転不能体と、を備え、前記回転不能体は、前記外歯歯車を摺動させることで当該外歯歯車の回転を許容する回転許容部と、前記外歯歯車を係合させることで当該外歯歯車の回転を規制する回転規制部とを有し、前記回転体は、前記外歯歯車と前記回転不能体とを前記軸線方向における外側から覆蓋する覆蓋部を有することが望ましい。
【００２０】
上記構成によれば、逆転抑制機構の内部構造である回転不能体や外歯歯車を覆蓋部により覆ってワイパーカセットの外部に露出しない構成とすることができる。このため、外部から異物が混入することなどを抑制することができ、逆転抑制機構の信頼性を高めることができる。
【００２１】
上記課題を解決するワイパーユニットは、上記ワイパーカセットと、前記ワイパーホルダーと、を備え、前記ワイパーホルダーは、前記装着状態において、前記ワイピング部材を前記液体噴射ヘッドに当接させた状態で前記液体噴射ヘッドに対し相対的に移動可能である。
【００２２】
上記構成によれば、ワイパーユニットは、ワイパーホルダーを液体噴射ヘッドに対して相対的に移動することで、該液体噴射ヘッドに付着した液体を払拭することが可能となる。また、ワイピング部材が消耗した場合にはワイパーカセットを着脱交換して、ワイパーユニットを継続使用することができる。
【００２３】
上記課題を解決する液体噴射装置は、上記ワイパーユニットと、前記液体噴射ヘッドと、を備える。
上記構成によれば、上述したワイパーカセット及びワイパーユニットの奏する作用効果と同様の作用効果を得ることができる。
【図面の簡単な説明】
【００２４】
【図１】一実施形態のプリンターの斜視図。
【図２】ワイパーユニットの斜視図。
【図３】ワイパーユニットの背面図。
【図４】一部の構成を省略したワイパーユニットの斜視図。
【図５】図４に示すワイパーユニットの側面図。
【図６】（ａ）はワイパーカセットの側面図、（ｂ）は筐体を省略したワイパーカセットの側面図。
【図７】ワイパーカセットがワイパーホルダーから上方へ取り出された状態を右前方上側から見た斜視図。
【図８】ワイパーカセットがワイパーホルダーから上方へ取り出された状態を左後方上側から見た斜視図。
【図９】回転量検出部の概略構成を示す部分破断斜視図。
【図１０】ワイパーカセットがワイパーホルダーから上方へ取り出された状態を示す側面図。
【図１１】逆転抑制機構の概略構成を示す分解斜視図。
【図１２】逆転抑制機構の概略構成を示す断面図。
【図１３】（ａ）はワイパーカセットがワイパーホルダーから上方へ取り出された状態を模式的に示す側面図、（ｂ）は図１３（ａ）に示す状態からワイパーカセットがワイパーホルダーに対して装着された状態を模式的に示す側面図、（ｃ）は図１３（ｂ）に示す状態からワイピング部材が繰り出されている状態を模式的に示す側面図。
【図１４】（ａ）はワイパーホルダーからワイパーカセットを取り外す前の状態を模式的に示す側面図、（ｂ）はワイパーカセットが傾動した状態を模式的に示す側面図、（ｃ）はワイパーカセットが取り外されている状態を模式的に示す側面図。
【図１５】（ａ）はワイパーホルダーに対してワイパーカセットを装着する前の状態を模式的に示す側面図、（ｂ）はワイパーホルダーに対してワイパーカセットが装着されている最中の状態を模式的に示す側面図、（ｃ）はワイパーホルダーに対してワイパーカセットが装着された状態を模式的に示す側面図。
【図１６】逆転抑制機構の作用を示す模式図。
【図１７】（ａ）は回転許容時の逆転抑制機構の断面図、（ｂ）は（ａ）における要部の拡大図。
【図１８】（ａ）は回転規制時の逆転抑制機構の断面図、（ｂ）は（ａ）における要部の拡大図。
【図１９】変形例のワイパーカセットの概略構成を示す斜視図。
【発明を実施するための形態】
【００２５】
以下、ワイパーカセットを備えるワイパーユニットを、液体噴射装置の一種であるインクジェット式のプリンターに搭載した一実施形態について、図を参照して説明する。
図１に示すように、プリンター１１において略矩形箱状をなすフレーム１２の内側下部には、略矩形板状をなす支持部材１３がその長手方向を主走査方向Ｘ（図１では左右方向）に一致させた状態で設けられている。この支持部材１３上には、フレーム１２の後面下部に設けられた紙送りモーター１４の駆動に基づいて、記録用紙Ｐが主走査方向Ｘと直交する副走査方向Ｙ（図１では前後方向）における後方側から給送される。また、フレーム１２内における支持部材１３の上方には、支持部材１３の長手方向と平行に延びる棒状のガイド軸１６が設けられている。ガイド軸１６には、その軸線方向に往復移動可能な状態でキャリッジ１７が支持されている。
【００２６】
フレーム１２の後壁の内面におけるガイド軸１６の両端部と対応する各位置には、駆動プーリー１８及び従動プーリー１９が回転自在な状態で支持されている。駆動プーリー１８には、キャリッジ１７を往復移動させる際の駆動源となるキャリッジモーター２０の出力軸が連結されている。また、これら一対のプーリー１８，１９の間には、一部がキャリッジ１７に連結された無端状のタイミングベルト２１が掛装されている。したがって、キャリッジ１７は、ガイド軸１６にガイドされながら、キャリッジモーター２０の駆動力により無端状のタイミングベルト２１を介して主走査方向Ｘに移動可能となっている。
【００２７】
キャリッジ１７の下面には、液体噴射ヘッド２２が設けられる一方、キャリッジ１７には、液体噴射ヘッド２２に対して供給するインク（液体）を貯留する複数（本実施形態では４つ）のインクカートリッジ２３が着脱可能に搭載されている。また、液体噴射ヘッド２２の下面（支持部材１３と対向する面）は、各色のインク滴を噴射するための複数のノズル（図示略）がキャリッジ１７の主走査方向Ｘと直交する前後方向に沿って並列して設けられたノズル形成面となっている。そして、液体噴射ヘッド２２のノズル形成面に形成されたノズルから支持部材１３上に給送された記録用紙Ｐに対してインク滴が噴射されることにより、記録用紙Ｐに対して記録が実行される。
【００２８】
フレーム１２内において記録用紙Ｐが搬送される記録領域の右側に設けられたホームポジションＨＰには、液体噴射ヘッド２２のメンテナンスを行なうためのヘッドメンテナンス装置２６が設けられている。そして、ヘッドメンテナンス装置２６は、非記録時において液体噴射ヘッド２２のノズル形成面に当接してノズルからのインク溶媒の蒸発を抑制したり、ノズルから増粘等したインクを吸引したりするキャップユニット２７と、液体噴射ヘッド２２のノズル形成面に付着したインクを払拭可能なワイパーユニット３４を備えている。
【００２９】
次に、ヘッドメンテナンス装置２６が備えるワイパーユニット３４について説明する。
図２及び図３に示すように、ワイパーユニット３４は、液体噴射ヘッド２２のノズル形成面からインクを払拭するワイピング部材３０を搭載したワイパーカセット３１と、ワイパーカセット３１が着脱自在に装着されるワイパーホルダー３２とを備えている。また、ワイパーユニット３４は、ワイパーホルダー３２を液体噴射ヘッド２２のノズル列方向となる前後方向に移動させる駆動機構３３を備えている。
【００３０】
図２に示すように、ワイパーホルダー３２は、その内部にワイパーカセット３１を着脱方向（上下方向）に着脱可能に保持する箱体状をなしている。ガイドフレーム３５は、ワイパーホルダー３２の下方にあり、プリンター１１におけるフレーム１２の底壁内面上に図示しないブラケットを介して取り付けられている。ガイドフレーム３５には、左右で対をなす対向片部３５ａが左右方向に離れた位置に設けられている。各対の対向片部３５ａは前後方向において離れた２箇所において、前後方向で対向するように上方へ折曲げ形成されている。そして、各対の対向片部３５ａ間には前後方向に延びるガイド軸３６がそれぞれ架設されている。また、ワイパーホルダー３２の下面には各ガイド軸３６を摺動可能に挿通する軸受け部３７（図５参照）が鉛直下方に向けて延出されている。そして、ワイパーホルダー３２は、この軸受け部３７が左右一対のガイド軸３６に対してその軸線方向に摺接することにより、前後方向への移動がガイド軸３６によってガイド可能に支持されている。
【００３１】
図２に示すように、ワイパーホルダー３２の左壁部における上方寄りの位置には、ラックギア部３９が設けられている。ラックギア部３９は、ワイパーホルダー３２の前方寄りの位置から後方寄りの位置まで直線状に延びる第１ラックギア部４０と、ワイパーホルダー３２の前端位置から後方寄りの位置まで直線状に延びる第２ラックギア部４１とから構成されている。なお、第１ラックギア部４０は、第２ラックギア部４１に対して左方に隣り合う位置に配置されている。すなわち、両ラックギア部４０，４１は、左右方向において互いに異なる位置に配置されている。また、両ラックギア部４０，４１は、ワイパーホルダー３２の移動方向となる前後方向においてずれて配置され、部分的に重なっている。
【００３２】
また、図２及び図３に示すように、ガイドフレーム３５の左端部における前後方向の略中央位置には、先端側が上方に向けて略Ｌ字状をなすように屈曲した支持片部４３がガイドフレーム３５から延設されている。また、この支持片部４３の上端には、上端側がワイパーホルダー３２の内方となる右方に向けて略Ｌ字状をなすように屈曲した支持フレーム４４が止めねじ４５によって固定されている。また、支持片部４３における水平方向に延びた基端部分の前端部には、取付フレーム４６が止めねじ４７によって固定され、その取付フレーム４６を介して駆動機構３３の駆動源となる駆動モーター４８が支持されている。
【００３３】
図３に示すように、駆動モーター４８の出力軸４９には出力歯車５０が一体回転可能に設けられている。そして、軸５１に軸支されたかさ歯車５２は、出力歯車５０に対して下方から噛合している。また、軸５３に軸支されたかさ歯車５４は、その右方に位置するかさ歯車５２に対して左方から噛合している。そして、かさ歯車５４は、軸５５に軸支された従動歯車５７を介して軸５６に軸支された従動歯車５８に対して動力伝達可能に噛合している。また、軸５６には遊星歯車機構６０が設けられている。そして、本実施形態では、軸５１，５３，５５，５６、かさ歯車５２，５４、及び従動歯車５７，５８によって、駆動モーター４８から出力される動力を遊星歯車機構６０に伝達する動力伝達機構６１が構成されている。
【００３４】
図４及び図５は、駆動モーター４８、動力伝達機構６１、支持フレーム４４、及びガイドフレーム３５を省略したワイパーユニット３４を示している。そして、図４及び図５に示すように、遊星歯車機構６０は、太陽歯車７０と、該太陽歯車７０の周囲を周回する複数（本実施形態では２つ）の遊星歯車７１，７２と、該遊星歯車７１，７２を回動自在に支持しつつ揺動するベース部材７３とを備えている。
【００３５】
ベース部材７３は、一対のアーム部７４が基端部から分岐するように延出した側面視で略Ｖ字状をなすと共に、その基端部が太陽歯車７０の回動軸となる軸５６によって回動自在に支持されている。また、ベース部材７３に形成された一対のアーム部７４には、遊星歯車７１，７２が各々対応する軸７５，７６を介して回動自在に支持されている。
【００３６】
なお、これらの遊星歯車７１，７２は、軸５６の軸線方向において互いに異なる位置に配置されている。具体的には、これらの遊星歯車７１，７２のうち、一方側（図４及び図５において後側）の遊星歯車７１は、軸５６の軸線方向において第１ラックギア部４０と同一の位置に配置されると共に、他方側（図４及び図５において前側）の遊星歯車７２は、軸５６の軸線方向において第２ラックギア部４１と同一の位置に配置されている。そして、図４及び図５に示すように、太陽歯車７０の鉛直上方に第１ラックギア部４０が位置する場合には、第１ラックギア部４０が太陽歯車７０の周囲を周回する遊星歯車７１の移動経路上に位置する。一方で、図４及び図５に示す状態からワイパーホルダー３２がガイド軸３６に沿って後方に移動し、太陽歯車７０の鉛直上方に第２ラックギア部４１が位置する場合には、第２ラックギア部４１が太陽歯車７０の周囲を周回する遊星歯車７２の移動経路上に位置する。
【００３７】
そして、駆動モーター４８から出力される動力が動力伝達機構６１を通じて遊星歯車機構６０の太陽歯車７０に伝達されると、遊星歯車機構６０の各遊星歯車７１，７２が太陽歯車７０から伝達される駆動力に基づいて太陽歯車７０の周囲を周回する。その結果、各遊星歯車７１，７２が各々対応するラックギア部４０，４１に対して動力伝達可能に噛合する。この場合、駆動モーター４８から出力される動力がワイパーホルダー３２をガイド軸３６の軸線方向となる前後方向へ移動させる動力として伝達される。この点で、本実施形態では、駆動モーター４８、動力伝達機構６１、及び遊星歯車機構６０によって、ワイパーホルダー３２を液体噴射ヘッド２２のノズル列方向となる前後方向に移動させる駆動機構３３が構成されている。すなわち、駆動機構３３は、ワイピング部材３０を液体噴射ヘッド２２に当接させた状態で、ワイパーホルダー３２を当該液体噴射ヘッド２２に対し相対的に移動させることを可能としている。
【００３８】
図６（ａ），（ｂ）に示すように、ワイパーカセット３１の外装を構成する略矩形箱状をなす筐体８０の内側には、筐体８０の短手方向となる左右方向へ水平に延びる軸線を有した一対のローラー８１，８２が筐体８０の長手方向となる前後方向に距離をおいて収容されている。この一対のローラー８１，８２の間には、液体噴射ヘッド２２のノズル形成面からインクを払拭するための長尺状のワイピング部材３０が掛装されている。そして、この一対のローラー８１，８２のうち、後方側に設けられた繰出ローラー８１は、巻装した未使用のワイピング部材３０を繰り出すことを可能としている。一方、この一対のローラー８１，８２のうち、前方側に設けられた巻取ローラー８２は、繰出ローラー８１から巻き解かれて払拭に使用された使用済みのワイピング部材３０を巻き取ることを可能としている。なお、繰出ローラー８１及び巻取ローラー８２は互いに略同一の高さに位置している。
【００３９】
また、筐体８０の外側に露出した繰出ローラー８１の軸線方向の軸端部（左側軸端部）には、繰出歯車８３（図８参照）が繰出ローラー８１と一体回転可能に設けられている。また、筐体８０の外側に露出した巻取ローラー８２の軸線方向の軸端部（左側軸端部）には、巻取歯車８５（図８参照）が巻取ローラー８２と一体回転可能に設けられている。さらに、巻取ローラー８２の軸線方向において、巻取歯車８５が支持される軸端部とは反対側の軸端部８２ａ（図１２参照）には、巻取ローラー８２の回転方向を一方向に規制する逆転抑制機構１５０が設けられている。
【００４０】
また、筐体８０の内側には、繰出ローラー８１から巻取ローラー８２に至るワイピング部材３０の繰り出し経路上に、複数（本実施形態では４つ）のローラー８６，８７，８８，８９が設けられている。これらのローラー８６，８７，８８，８９は、繰出ローラー８１及び巻取ローラー８２と平行に左右方向に延びており、その左右両端部が筐体８０の側壁部に設けられた軸受け部等によって回動自在に支持されている。
【００４１】
具体的には、繰出ローラー８１の前側上方に設けられた押圧ローラー８７には、ワイピング部材３０において繰出ローラー８１から繰り出される部分が巻き掛けられている。押圧ローラー８７における軸線方向両端の軸部８７ａは、筐体８０の左右両側の外側面に固定された棒ばね９０によって下方から支持されている。棒ばね９０は、その長手方向の中間位置で押圧ローラー８７の軸部８７ａを下方から支持している。なお、押圧ローラー８７の軸部８７ａは、筐体８０に設けられた軸受け孔９１に対して左右方向に挿通されており、棒ばね９０から作用する上方への付勢力に従って軸受け孔９１の上側の孔縁に密着している。そして、押圧ローラー８７の軸部８７ａは、棒ばね９０と軸受け孔９１の孔縁との間で上下両側から回動自在に支持されている。また、押圧ローラー８７における周面の最上部は筐体８０の上面よりも上方に位置しており、ワイピング部材３０において押圧ローラー８７に巻き掛けられた部分は筐体８０の上面から上方に突出している。また、押圧ローラー８７における周面の最上部は、液体噴射ヘッド２２のノズル形成面よりも上方に位置している。
【００４２】
また、押圧ローラー８７の鉛直方向（下方）には、ワイピング部材３０において押圧ローラー８７から繰り出される部分を巻き掛ける中継ローラー８９が設けられている。中継ローラー８９は、繰出ローラー８１から巻取ローラー８２へのワイピング部材３０の繰り出しにともなって従動回転することを可能としている。また、中継ローラー８９に対してワイピング部材３０を挟んで反対側となる位置には、中継ローラー８９との間でワイピング部材３０を挟持する挟持ローラー９２が設けられている。また、筐体８０の底壁内面と挟持ローラー９２との間には付勢部材としてのばね部材９３が介設されている。そして、挟持ローラー９２は、ばね部材９３によって中継ローラー８９に接近する方向に付勢されている。
【００４３】
また、中継ローラー８９の軸線方向の一方側（図６（ａ），（ｂ）では右方側）における軸部８９ａの端部には、中継歯車９４が中継ローラー８９と一体回転可能に設けられている。また、挟持ローラー９２における軸線方向両端の軸部９２ａは、筐体８０の側壁部に弾性片部を切り抜き形成することで形成された切り欠き溝状の軸受け部に支持されている。
【００４４】
また、繰出ローラー８１から巻取ローラー８２に至るワイピング部材３０の繰り出し経路上において、繰出ローラー８１と押圧ローラー８７との間、及び、押圧ローラー８７と中継ローラー８９との間には、ワイピング部材３０に対してテンションを付与するテンションローラー８６，８８が設けられている。なお、テンションローラー８６，８８における軸線方向両端の軸部８６ａ，８８ａは、筐体８０の側壁部に設けられた円形凹状の軸受け部に支持されている。
【００４５】
また、図７に示すように、筐体８０の左右両側面には、略円柱状をなす係合突起９５が左右方向に向けて水平に突設されている。この係合突起９５は、筐体８０における前後方向の中央位置よりも繰出ローラー８１側となる後方寄りの位置であって、且つ、筐体８０における高さ方向の略中央位置に形成されている。
【００４６】
また、筐体８０の前側面における下方寄りの位置には、上端側を筐体８０に対する固定端とすると共に下端側を自由端とする弾性片部９６が形成されている。弾性片部９６は、上端側の固定端を支点として前後方向に弾性変形可能となっている。そして、弾性片部９６において自由端となる下端側には、左右方向における側面視で略三角形状をなす係止部としての係止爪９６ａが形成されている。
【００４７】
同様に、図７及び図８に示すように、筐体８０の左右両側面における下方寄りの位置には、上端側を筐体８０に対する固定端とすると共に下端側を自由端とする弾性片部９７が形成されている。弾性片部９７は、上端側の固定端を支点として左右方向に弾性変形可能となっている。そして、弾性片部９７において自由端となる下端側には、前後方向における側面視で略三角形状をなす係止爪９７ａが形成されている。
【００４８】
また、図７及び図８に示すように、筐体８０の前側面における上方部分及び後側面における下方部分には、筐体８０の外側に向けて凸となる略円弧状に湾曲した湾曲面９８，９９が形成されている。これらの湾曲面９８，９９は、筐体８０の外側面における他の部分よりも内側に退避した形状をなしている。さらに、筐体８０の後側面における上方寄りの位置には、ワイパーカセット３１をワイパーホルダー３２から取り外す際に、使用者が指先を引っ掛けて取り外し方向に荷重が作用する力点作用部としての指掛部１００が筐体８０の内側に向かって凹設されている。さらに、指掛部１００は、ワイパーホルダー３２からの取り外し方向となる上方向と交差する前後方向に延設されている。
【００４９】
そして、指掛部１００は、本実施形態では、他の構成に対して以下に示す配置態様を取っている。すなわち、図８に示すように、指掛部１００は、ワイパーカセット３１がワイパーホルダー３２に装着された装着状態において、巻取歯車８５よりも取り外し方向側となる上方側に位置している。また、図７及び図８に示すように、指掛部１００は、上記の装着状態において、中継歯車９４よりも取り外し方向側となる上方側に位置している。また、繰出ローラー８１と巻取ローラー８２との間をなす方向である軸交差方向（本実施形態では前後方向）において、繰出ローラー８１は、巻取ローラー８２と指掛部１００の間に位置している。さらに、巻取ローラー８２の軸線方向と交差する前後方向及び上下方向において、巻取ローラー８２は、指掛部１００と係止爪９６ａとの間に位置している（図１４参照）。
【００５０】
また、図７及び図８に示すように、筐体８０の上面において、押圧ローラー８７の後方側には、筐体の上面から僅かに窪み形成された押圧面８０ａが形成されている。押圧面８０ａは、ワイパーカセット３１をワイパーホルダー３２に装着する際に、押圧操作される部位となっている。
【００５１】
図７に示すように、ワイパーホルダー３２の左壁部の内側面には、装着されるワイパーカセット３１の繰出ローラー８１に対応する後端寄りの位置に、繰出歯車８３に対して動力伝達可能に連結される歯車群１０１が設けられている。この歯車群１０１は、複数（本実施形態では５つ）の従動歯車１０２，１０３，１０４，１０５，１０６（図５参照）から構成されている。なお、図７には、歯車群１０１を構成する４つの従動歯車１０２，１０３，１０４，１０５が図示されているが、従動歯車１０４及び従動歯車１０５に噛み合う従動歯車１０６は従動歯車１０５の裏側（左側）に隠れているため図示されていない。歯車群１０１のうち従動歯車１０４，１０５，１０６は、ワイパーホルダー３２の左壁部に挿通されて支持された各々が対応する軸１０４ａ，１０５ａ，１０６ａ（図５参照）によって回動自在に支持され、従動歯車１０２，１０３はワイパーカセット３１に備えられた軸１０２ａ、１０３ａに支持される。そして、隣り合う歯車同士が動力伝達可能に噛合している。そして、繰出歯車８３と従動歯車１０２が噛み合い、従動歯車１０５に駆動力が伝達される。従動歯車１０５には、基端側がワイパーホルダー３２の底壁部によって片持ち支持されたラチェット１１５（図５参照）が係合している。
【００５２】
図５に示すように、ラチェット１１５は、先端側に形成された歯部が従動歯車１０５に対して下方から噛合している。そして、ラチェット１１５は、従動歯車１０５が軸１０５ａを中心とした一方の回動方向（左方から見て時計回り方向）に回動した場合には、従動歯車１０５から作用する力に基づいて、片持ち支持された基端側を固定端として従動歯車１０５から遠ざかる方向に弾性変形する。すると、従動歯車１０５に対する係合状態が解除されて従動歯車１０５の回動が許容される。一方、ラチェット１１５は、従動歯車１０５が軸１０５ａを中心とした他方の回動方向（左方から見て反時計回り方向）に回動した場合には、従動歯車１０５から力が作用したとしても、従動歯車１０５に対する係合状態を維持することにより、従動歯車１０５の回動を規制する。そして、ラチェット１１５が従動歯車１０５の回動を規制することに伴って、この従動歯車１０５に対して動力伝達可能に連結されている繰出ローラー８１の回動も併せて規制される。具体的には、繰出ローラー８１は、巻装しているワイピング部材３０を繰り出す方向となる、左方から見て反時計回りへの回動が規制される。なお、図２に示すように、ガイドフレーム３５の後端部には、ワイパーホルダー３２の移動方向となる前後方向においてラチェット１１５に対して対向する位置に、ラチェット１１５側に突出した突片部１１６が形成されている。
【００５３】
また、図７に示すように、ワイパーホルダー３２の前壁部の下側には、ワイパーカセット３１の係止爪９６ａに対応する位置に掛止孔１１７が貫通形成されている。また、図７及び図８に示すように、ワイパーホルダー３２における左右両側の側壁部の下側には、ワイパーカセット３１の係止爪９７ａに対応する位置に掛止孔１１８が形成されている。そして、ワイパーカセット３１をワイパーホルダー３２に対して装着した場合には、ワイパーカセット３１の係止爪９６ａ，９７ａがワイパーホルダー３２の掛止孔１１７，１１８に対して係止されることにより、ワイパーカセット３１がワイパーホルダー３２に対して安定した状態で装着される。
【００５４】
図８に示すように、ワイパーホルダー３２の前壁部には、ワイパーホルダー３２の内側（後方側）に向かって延びる略矩形板状をなす立設リブ１１９が設けられている。立設リブ１１９の上端は、ワイパーホルダー３２の前壁部の上端よりも低くなっている。なお、立設リブ１１９は、ワイパーホルダー３２にワイパーカセット３１を装着した場合に、該ワイパーカセット３１が左右方向に移動することを規制するために設けられている。
【００５５】
また、図８及び図９に示すように、ワイパーカセット３１がワイパーホルダー３２に装着された際に、ワイパーカセット３１の中継歯車９４と対応する位置となるワイパーホルダー３２の右壁部の内側面には、ワイピング部材３０の繰出量を検出するための回転量検出部１２０が設けられている。
【００５６】
回転量検出部１２０は、止めねじ１２５によってワイパーホルダー３２の右壁部に固定される支持フレーム１２６と、該支持フレーム１２６に回転可能に軸支される軸１２７ａとを有している。また、図９に示すように、回転量検出部１２０は、ワイパーカセット３１側に設けられた中継歯車９４と噛合する検出歯車１２７と、その検出歯車１２７とともに回転するスリット板１２８と、スリット板１２８の回転量を検出可能なロータリーエンコーダー１２９を有している。なお、検出歯車１２７及びスリット板１２８は、左右方向を軸線方向とする軸１２７ａによって一体回転可能に支持されている。こうして、回転量検出部１２０は、ロータリーエンコーダー１２９でスリット板１２８の回転量を検出することで、間接的に中継ローラー８９の回転量を検出することを可能としている。
【００５７】
また、図７及び図８に示すように、ワイパーホルダー３２の後壁部には、ワイパーカセット３１の指掛部１００に対応する位置に切り欠き部としての凹部１３０が形成されている。この凹部１３０は、ワイパーホルダー３２の後壁部の上端から下方に凹設されている。そして、ワイパーホルダー３２に装着されたワイパーカセット３１の指掛部１００は凹部１３０を通じてワイパーホルダー３２の外側に露出する。
【００５８】
また、ワイパーホルダー３２における左右両側の側壁部には、ワイパーカセット３１の係合突起９５に対して左右方向において対応する位置に係合凹部１４０が設けられている。係合凹部１４０は、ワイパーホルダー３２における左右両側の側壁部の上端から、ワイパーホルダー３２の左右両側の側壁部における高さ方向の略中央位置までワイパーカセット３１の着脱方向となる上下方向に延びている。係合凹部１４０における上側の開口の前後方向における長さ寸法は、係合突起９５の直径よりも若干大きく設定されており、下側に向かうに連れてその長さ寸法が次第に幅狭となるように構成されている。
【００５９】
具体的には、図１０に示すように、係合凹部１４０の後側の内側面は、鉛直方向に直線状に延びる鉛直面１４１にて構成される。一方、係合凹部１４０において鉛直面１４１と対向する内側面は、その下端が鉛直方向に直線状に延びる鉛直面１４２にて構成されると共に、その上方が鉛直面１４１から遠ざかる前方に向けて上り勾配となるように鉛直方向に対して傾斜した傾斜面１４３にて構成されている。なお、係合凹部１４０の下端に位置する左右鉛直面１４１，１４２の前後方向における長さ寸法は、係合突起９５の直径とほぼ等しい。
【００６０】
次に、巻取ローラー８２がワイピング部材３０を繰り出す方向に回転することを抑制する逆転抑制機構１５０について説明する。
図１１及び図１２に示すように、逆転抑制機構１５０は、巻取ローラー８２と一体回転可能な回転体１５１と、筐体８０の右側面に固定配置された回転不能体１５２と、回転体１５１及び回転不能体１５２の間に収容される複数（本実施形態では３つ）の外歯歯車１５３とを備えている。
【００６１】
回転体１５１は、有底円筒状に形成され、その外側面は、回転不能体１５２と外歯歯車１５３とを、その軸線方向における外側（右側）から覆蓋可能な覆蓋部１５４となっている。また、図１２に示すように、回転体１５１の内側面には、その軸線に向かってリング状に形成された内歯１５５と、巻取ローラー８２の軸端部８２ａと係合可能な軸受部１５６が形成されている。ここで、巻取ローラー８２の軸端部８２ａと回転体１５１の軸受部１５６とは、互いに摺動しながら回転しないように、その軸線方向における断面形状が非円形に形成されている。これにより、回転体１５１は、巻取ローラー８２と一体回転することを可能としている。
【００６２】
図１１及び図１２に示すように、回転不能体１５２は、略円形筒状をなすとともに、巻取ローラー８２の軸線方向に貫通形成された軸受け孔１５７と、該円形筒状部位を形成する円弧部１５８と、円弧部よりも回転不能体１５２の軸線に向かって退避するように凹状に形成された退避部１５９とを備えている。軸受け孔１５７は、巻取ローラー８２の軸端部８２ａが挿通された状態で、その軸端部８２ａを回転可能に軸支することを可能としている。
【００６３】
ワイパーカセット３１に固定配置された回転不能体１５２の円弧部１５８は、回転体１５１が巻取ローラー８２と一体回転する際に、回転体１５１の内歯１５５と摺動可能とされている。また、回転不能体１５２の退避部１５９は、回転体１５１の内歯１５５との間で外歯歯車１５３を収容することを可能としている。また、退避部１５９には、外歯歯車１５３を摺動させることで当該外歯歯車１５３の回転を許容する回転許容部１５９ａと、外歯歯車１５３を係合させることで当該外歯歯車１５３の回転を規制する回転規制部１５９ｂとが形成されている。回転許容部１５９ａは、外歯歯車１５３を摺動させるために、滑らかな曲面で形成されている。一方、回転規制部１５９ｂは、巻取ローラー８２の軸線方向（左右方向）における断面視において略三角形状の爪状に形成され、外歯歯車１５３と咬合することで外歯歯車１５３の回転を規制可能としている。また、退避部１５９において、回転許容部１５９ａは巻取ローラー８２の巻き取り回転方向側（図１２では反時計方向側）に形成され、回転規制部１５９ｂは巻取ローラー８２の繰り出し回転方向側（図１２では時計方向側）に形成されている。
【００６４】
外歯歯車１５３は、回転体１５１の内歯１５５と噛合した状態で、回転不能体１５２の退避部１５９内に収容されている。そして、外歯歯車１５３は、回転する回転体１５１の内歯１５５から付与される荷重によって、退避部１５９内において回転可能とされている。また、外歯歯車１５３は自身の回転にともなって、退避部１５９内を回転体１５１の周方向に移動することで、回転許容部１５９ａと摺動したり回転規制部１５９ｂと係合したりすることを可能としている。
【００６５】
こうして、逆転抑制機構１５０は、巻取ローラー８２がワイピング部材３０を巻き取る方向に回転することを許容し、繰り出す方向に回転することを規制することを可能としている。また、逆転抑制機構１５０の内部には、内歯１５５と外歯歯車１５３とが噛合する部分や、回転許容部１５９ａと外歯歯車１５３とが摺動する部分に、摩擦抵抗を低減するための潤滑剤が塗布されることが望ましい。
【００６６】
次に、上記のように構成されたプリンター１１の作用について説明する。
まず、ワイパーユニット３４が液体噴射ヘッド２２をメンテナンスする際の作用について説明する。
【００６７】
図１及び図２に示すように、液体噴射ヘッド２２をメンテナンスする際には、液体噴射ヘッド２２をホームポジションＨＰに移動させる。そして、駆動機構３３を駆動させて、ワイパーホルダー３２を主走査方向Ｘと直交する方向である前方向に移動させる。すると、ワイピング部材３０の押圧ローラー８７に巻き掛けられている部分が、液体噴射ヘッド２２に摺動することによりノズル形成面からインクが払拭される。
【００６８】
そして、前方にワイパーホルダー３２が移動することで、液体噴射ヘッド２２のノズル形成面の払拭が完了すると、駆動機構３３の駆動モーター４８が逆転駆動される。すると、駆動機構３３によってワイパーホルダー３２が逆方向（後方）に向かって移動を開始する。そして、この際にも、ワイピング部材３０の押圧ローラー８７に巻き掛けられている部分が、液体噴射ヘッド２２に摺動することによりノズル形成面からインクが払拭される。
【００６９】
そして、前後方向における往復の払拭動作が完了すると、駆動機構３３の駆動力が巻取歯車８５に伝達され、インクが付着したワイピング部材３０が巻取ローラー８２に巻き取られる。なお、この巻き取りの際には、突片部１１６がラチェット１１５を押圧することによって、繰出ローラー８１の回動規制は解除された状態にある。こうして、ワイパーユニット３４による液体噴射ヘッド２２の払拭動作に係るメンテナンスが完了する。
【００７０】
次に、繰出ローラー８１から巻取ローラー８２へのワイピング部材３０の繰出量を検出する際の作用について説明する。
さて、図１３（ａ）に示すように、装着されるワイパーカセット３１がワイパーホルダー３２の鉛直上方に位置した状態では、ワイパーカセット３１に設けられた中継歯車９４は、ワイパーホルダー３２に設けられた検出歯車１２７に対して上下方向で対向する位置に配置される。
【００７１】
そして、図１３（ｂ）に示すように、ワイパーカセット３１がワイパーホルダー３２に対して装着されると、中継歯車９４が検出歯車１２７に対して上側から動力伝達可能に噛合する。続いて、図１３（ｃ）に示すように、繰出ローラー８１から巻取ローラー８２に向けてワイピング部材３０が繰り出されると、ワイピング部材３０が巻き掛けられた中継ローラー８９がワイピング部材３０の繰り出し動作に連動して回動する。すると、中継ローラー８９の回転量が中継歯車９４を通じて検出歯車１２７に伝達され、中継ローラー８９の回転量に対応した軸１２７ａの回転量がワイパーホルダー３２に設けられたロータリーエンコーダー１２９によって検出される。
【００７２】
ここで、中継ローラー８９の回転量は、繰出ローラー８１及び巻取ローラー８２に巻装されているワイピング部材３０の巻き取り残量によることなく、繰出ローラー８１から巻取ローラー８２へのワイピング部材３０の繰出量を正確に反映している。そのため、ロータリーエンコーダー１２９は、中継ローラー８９の回転量の検出を通じて、繰出ローラー８１から巻取ローラー８２へのワイピング部材３０の繰出量を正確に検出することが可能となる。
【００７３】
なお、中継ローラー８９は、ばね部材９３によって付勢された挟持ローラー９２との間でワイピング部材３０を強固に挟持している。そのため、ワイピング部材３０が中継ローラー８９の周面に対して繰り出し方向に滑ることが抑制される。その結果、中継ローラー８９の回転量は、繰出ローラー８１から巻取ローラー８２へのワイピング部材３０の繰出量をより正確に反映する。したがって、ロータリーエンコーダー１２９は、ワイピング部材３０の繰出量をより正確に検出することが可能となる。
【００７４】
次に、ワイパーホルダー３２に対してワイパーカセット３１を着脱する際の作用について説明する。
さて、図１４（ａ）に示すように、ワイパーホルダー３２からワイパーカセット３１を取り外す際には、使用者は、ワイパーホルダー３２の凹部１３０を通じてワイパーホルダー３２の内側に指先Ａを挿入する。そして、使用者は、ワイパーカセット３１の指掛部１００に指先Ａを引っ掛けた状態で、ワイパーカセット３１の指掛部１００を鉛直上方に持ち上げる。なお、指掛部１００は、巻取ローラー８２に支持される巻取歯車８５よりも、取り外し方向側となる上方向側に形成されているため、当該巻取歯車８５が邪魔とならずに、使用者にとって指先Ａを引っ掛ける動作が容易となっている。
【００７５】
すると、図１４（ｂ）に示すように、ワイパーカセット３１の係合突起９５は、ワイパーホルダー３２の係合凹部１４０の内側を上方に向けて変位する。この場合、係合突起９５は、係合凹部１４０内において指先Ａからの力が作用する指掛部１００とは反対寄りに位置する傾斜面１４３に対して上方向に摺接する。そして、ワイパーカセット３１は、この係合突起９５の突出方向と直交する前後方向において指掛部１００とは反対側に位置する前端寄りの部分が下方に沈み込んでワイパーホルダー３２の内底面に対して摺接しつつ、係合突起９５を中心として傾動する。すなわち、ワイパーカセット３１の傾動中心となる係合突起９５は、係合凹部１４０の内面の一部を構成する傾斜面１４３に摺接してワイパーカセット３１の取り外し方向となる上方向にガイドされる。そして、係合凹部１４０は、被ガイド部としての係合突起９５をワイパーカセット３１の取り外し方向にガイドするガイド部として機能する。
【００７６】
なお、ワイパーカセット３１は、係合突起９５の突出方向となる左右方向から見た場合の輪郭形状の隅部に湾曲面９８，９９が形成されているため、ワイパーホルダー３２の内面によって干渉されることなく係合突起９５を中心として円滑に傾動することが可能となる。また、ワイパーカセット３１を交換する場合には、通常、巻取ローラー８２には、インクが付着して質量を増したワイピング部材３０が巻き取られている。このため、ワイパーカセット３１の重心位置が未使用時に比較して、前後方向において巻取ローラー８２側に移動し、ワイパーカセット３１が傾動し易くなっている。
【００７７】
また、ワイパーカセット３１が係合突起９５を中心として傾動すると、この係合突起９５の突出方向となる左右方向から見て指掛部１００に対して係合突起９５を挟んで反対側となる位置に形成された係止爪９６ａがワイパーホルダー３２の掛止孔１１７から外れ、ワイパーカセット３１がワイパーホルダー３２に対して上下方向に係止されなくなる。
【００７８】
その後、図１４（ｃ）に示すように、使用者は、ワイパーカセット３１の傾動に伴って、ワイパーカセット３１におけるワイパーホルダー３２から露出した上方寄りの部分を把持し、ワイパーカセット３１をワイパーホルダー３２から鉛直方向反対側に取り外す。
【００７９】
また、図１５（ａ）に示すように、ワイパーホルダー３２に対してワイパーカセット３１を装着する際には、ワイパーカセット３１の係合突起９５をワイパーホルダー３２の係合凹部１４０に対して位置合わせする。なお、この位置合わせに際して、例えば、中継歯車９４と歯合可能な検出歯車１２７がワイパーホルダー３２の上端寄りの位置に設けられていると、ワイパーカセット３１の下端部が検出歯車１２７に接触し、該検出歯車１２７を有する回転量検出部１２０に衝撃が作用するおそれがある。このため、使用者は注意深くワイパーカセット３１を装着させる必要がある。これに対し、本実施形態では、検出歯車１２７がワイパーホルダー３２の下端寄りの位置に設けられているため、使用者がこうした注意を払う必要が低減される。
【００８０】
続いて、図１５（ｂ）に示すように、ワイパーカセット３１を水平姿勢としつつ鉛直下方に変位させることにより、ワイパーカセット３１の係合突起９５がワイパーホルダー３２の係合凹部１４０に対して上側から挿入される。この場合、係合突起９５がその突出方向と直交する前後方向に係合凹部１４０によって位置決めされつつ、ワイパーカセット３１がワイパーホルダー３２に対して装着される。なお、係合凹部１４０における上側の開口の前後方向における長さ寸法は、係合突起９５の直径よりも若干大きく設定されているため、係合突起９５を係合凹部１４０に対して上側から容易に挿入することが可能となる。また、係止爪９６ａは、上端部を固定端として弾性片部９６を弾性変形させつつ、ワイパーホルダー３２の内側面に対して摺接する。
【００８１】
その後、図１５（ｃ）に示すように、係合突起９５が係合凹部１４０の内奥側となる下端位置まで挿入されると、係合突起９５が係合凹部１４０の鉛直面１４１，１４２によって前後両側から係止される。そして、ワイパーカセット３１はワイパーホルダー３２に対して前後方向に位置決めされる。また、係止爪９６ａが弾性片部９６の弾性復帰力に従ってワイパーホルダー３２の掛止孔１１７に対して係止されることにより、ワイパーホルダー３２に対するワイパーカセット３１の装着動作が完了する。
【００８２】
次に、巻取ローラー８２の軸端部８２ａに設けられた逆転抑制機構１５０の作用について説明する。
さて、図１６に示すように、ワイパーユニット３４による液体噴射ヘッド２２に対する払拭動作が完了した後など、ワイピング部材３０の巻き取りが行われる場合には、図１６における実線矢印の方向に巻取ローラー８２が回転される。すると、巻取ローラー８２の軸端部８２ａに装着される逆転抑制機構１５０は次のように動作する。
【００８３】
図１７（ａ），（ｂ）に示すように、巻取ローラー８２がワイピング部材３０を巻き取る方向（図１７において反時計方向）に回転すると、該巻取ローラー８２の軸端部８２ａと係合関係にある回転体１５１が同方向に一体回転する。すると、回転体１５１の内歯１５５と噛合関係にある外歯歯車１５３が、図１７において反時計方向に回転するとともに、回転不能体１５２の回転許容部１５９ａと摺動する。こうして、巻取ローラー８２がワイピング部材３０を巻き取る方向に回転する場合には、逆転抑制機構１５０は、巻取ローラー８２の回転を規制しない。
【００８４】
一方、図１６に示すように、ワイパーホルダー３２が主走査方向Ｘと直交する方向である前方向に移動した際には、押圧ローラー８７に巻き掛けられたワイピング部材３０が液体噴射ヘッド２２のノズル形成面と摺動する。すると、ワイピング部材３０には、図１６において破線矢印の方向に張力が作用する。そして、巻取ローラー８２は、その張力に応じたモーメントによって、ワイピング部材３０を繰り出す方向に回転しようとする。すると、巻取ローラー８２の軸端部８２ａに装着される逆転抑制機構１５０は次のように動作する。
【００８５】
図１８（ａ），（ｂ）に示すように、巻取ローラー８２がワイピング部材３０を繰り出す方向（図１８において時計方向）に回転すると、該巻取ローラー８２の軸端部８２ａと係合関係にある回転体１５１が同方向に僅かに一体回転する。すると、回転体１５１の内歯１５５と噛合関係にある外歯歯車１５３が、図１７において時計方向に回転するとともに、回転不能体１５２の退避部１５９内を回転許容部１５９ａから回転規制部１５９ｂの方へ移動する。やがて、外歯歯車１５３が回転規制部１５９ｂに当接し、そして係合すると、外歯歯車１５３はそれ以上回転することが規制される。すると、外歯歯車１５３と噛合関係にある内歯１５５を有する回転体１５１もそれ以上回転することが規制され、当該回転体１５１と係合関係にある巻取ローラー８２も同様に回転が規制される。こうして、巻取ローラー８２がワイピング部材３０を繰り出す方向に回転する場合には、逆転抑制機構１５０は巻取ローラー８２の回転を規制する。従って、ワイパーホルダー３２が前方に移動することで、液体噴射ヘッド２２のノズル形成面を払拭する場合には、ワイピング部材３０が不用意に繰り出されることが抑制される。
【００８６】
上記実施形態によれば、以下に示す効果を得ることができる。
（１）ワイパーホルダー３２からワイパーカセット３１を取り外す際に、使用者の手がかかることとなる指掛部１００は、巻取歯車８５よりも取り外し方向となる上方向に位置している。このため、使用者が、ワイパーカセット３１を取り外すために指掛部１００に手をかける際に、巻取歯車８５が邪魔となるおそれを低減でき、容易にワイパーカセット３１を取り外すことができる。従って、ワイパーカセット３１の着脱交換時の操作性を良好とすることができる。
【００８７】
（２）例えば、中継歯車９４が指掛部１００よりも上方に位置した場合には、中継歯車９４と噛合する中継歯車はワイパーホルダー３２の上方に位置することとなる。こうした場合には、ワイパーホルダー３２にワイパーカセット３１を装着する際に、ワイパーカセット３１の下端部が検出歯車１２７に強く接触して、回転量検出部１２０に衝撃が作用するおそれがある。このため、使用者は、注意深くワイパーカセット３１をワイパーホルダー３２に装着する必要がある。これに対し、上記実施形態によれば、中継歯車９４と噛合する検出歯車１２７は指掛部１００よりもワイパーホルダー３２からの取り外し方向の反対側（下側）に位置する。このため、検出歯車１２７が指掛部１００よりも取り外し方向側（上側）に位置する場合に比べ、少なくともワイパーカセット３１をワイパーホルダー３２に装着し始める際に注意を払う必要がない。従って、ワイパーカセット３１の装着時の操作性を良好とすることができる。
【００８８】
（３）液体噴射ヘッド２２に付着したインクを繰り返し払拭することで、巻取ローラー８２には、インクが付着して質量を増したワイピング部材３０が巻き取られる。すると、ワイパーカセット３１の重心位置は、未使用時と比べ、前後方向（軸交差方向）において巻取ローラー８２側に移動する。上記実施形態によれば、ワイパーカセット３１を取り外す際には、巻取ローラー８２から繰出ローラー８１を挟んで位置する指掛部１００に、取り外しのための荷重が付与される。これより、使用者が指掛部１００に手をかけてワイパーカセット３１を取り外す場合には、ワイパーカセット３１は巻取ローラー８２付近の重心位置を回動中心に傾動し易くなる。このため、ワイパーカセット３１を垂直に引き上げる場合に比して、少ない力でワイパーカセット３１を取り外すことができる。
【００８９】
（４）取り外し方向（上方向）と交差する方向（前後方向）に指掛部１００が延設されているため、例えば、取り外し方向に指掛部１００が延設されている場合に比べ、ワイパーホルダー３２からワイパーカセット３１を取り外す際における使用者の操作性を良好とすることができる。
【００９０】
（５）ワイパーホルダー３２に装着された状態のワイパーカセット３１は、係止爪９６ａを介して、ワイパーホルダー３２に係止されている。このため、液体噴射ヘッド２２に付着したインクを払拭する際などにワイパーカセット３１に作用する力によって、ワイパーカセット３１がワイパーホルダー３２から不用意に取り外れることを抑制することができる。一方、ワイパーカセット３１をワイパーホルダー３２から取り外す際には、係止爪９６ａは指掛部１００から巻取ローラー８２を挟んだ位置にあるため、指掛部１００を介してワイパーカセット３１を傾動させることで係止爪９６ａによるワイパーホルダー３２に対する固定を容易に解除することができる。
【００９１】
（６）既にインクを払拭したワイピング部材３０が巻取ローラー８２から繰り出されることで、ワイピング部材３０にたわみ等が生じることを抑制できる。すなわち、そのワイピング部材３０のたわみ等による払拭不良を抑制することができる。
【００９２】
（７）既に巻取歯車８５が支持された巻取ローラー８２の軸端部８２ａとは反対側に逆転抑制機構１５０が設けられるので、巻取ローラー８２の一方の軸端部にワイパーカセット３１の構成部材が集中することを抑制することができる。これによれば、ワイパーカセット３１の組み立て性やメンテナンス性を向上させることができる。
【００９３】
（８）逆転抑制機構１５０の内部構造である回転不能体１５２や外歯歯車１５３を覆蓋部１５４により覆ってワイパーカセット３１の外部に露出しない構成とすることができる。このため、外部から異物が混入することなどを抑制することができ、逆転抑制機構１５０の信頼性を高めることができる。また、ワイパーカセット３１に逆転抑制機構１５０を設けたことで、ワイパーカセット３１がワイパーホルダー３２に非装着な状態であっても、巻取ローラー８２がワイピング部材３０を繰り出す方向に回転することを抑制することができる。
【００９４】
（９）ワイパーユニット３４は、ワイパーホルダー３２を液体噴射ヘッド２２に対して相対的に移動させることで、該液体噴射ヘッド２２に付着したインクを払拭することが可能となる。また、ワイピング部材３０が消耗した場合にはワイパーカセット３１を着脱交換して、ワイパーユニット３４を継続使用することができる。
【００９５】
（１０）逆転抑制機構１５０は、ワイピング部材３０を巻取ローラー８２に巻き取る際（正転許容時）に、該逆転抑制機構１５０を構成する回転体１５１、回転不能体１５２、及び外歯歯車１５３の何れの弾性変形を伴わない。これに対して、歯車とラチェットで構成される一般的な逆転抑制機構にあっては、正転許容時にラチェットの弾性変形を伴い、変形したラチェットが復元して歯車と当接した際に音が生じることがある。すなわち、本実施形態の逆転抑制機構１５０によれば、正転許容時に生じる音を抑制することができる。
【００９６】
なお、上記実施形態は、以下のような別の実施形態に変更してもよい。
・上記実施形態において、図１９に示すように、指掛部１００をワイパーカセット３１の外側（後方側）に向かって延設させるとともに、その延設方向の反対方向に向かって凹み形成された指当部１００ａを設けてもよい。また、ワイパーカセット３１の上面に、該ワイパーカセット３１を使用するにあたっての警告表示（コーションラベル）等を貼付するための貼付面８０ｂを設けてもよい。
【００９７】
・上記実施形態において、ワイパーカセット３１から、中継ローラー８９など、ワイピング部材３０の繰出量を検出するための構成を省略してもよい。また、ワイパーホルダー３２から、回転量検出部１２０を省略してもよい。
【００９８】
・上記実施形態において、回転量検出部１２０の少なくとも一部の構成を、ワイパーカセット３１側に設けてもよい。
・上記実施形態において、回転量検出部１２０は、押圧ローラー８７又はテンションローラー８６，８８の回転量の検出を通じて、繰出ローラー８１から巻取ローラー８２へのワイピング部材３０の繰出量を検出する構成としてもよい。
【００９９】
・上記実施形態において、ワイパーカセット３１に対してワイパーホルダー３２からの取り外し方向に向けて荷重が作用する力点作用部として、使用者の指先を引っ掛ける突起部を設けてもよいし、使用者の指先が摩擦係合する粗面部を設けてもよい。その力点作用部は、巻取歯車８５よりも上方であれば、ワイパーカセット３１の筐体８０の何れの面に形成してもよい。
【０１００】
・上記実施形態において、指掛部１００は、ワイパーカセット３１がワイパーホルダー３２に装着された状態において、中継歯車９４よりも上側に位置していなくてもよい。また、繰出ローラー８１は、前後方向において巻取ローラー８２と指掛部１００との間に位置していなくてもよい。また、巻取ローラー８２は、該巻取ローラー８２の軸線方向と交差する方向において、指掛部１００と係止爪９６ａとの間に位置していなくてもよい。
【０１０１】
・上記実施形態において、ワイパーカセット３１をワイパーホルダー３２に対して係止させる係止爪９６ａは、指掛部１００が形成される側に設けてもよい。また、この係止爪９６ａを省略した構成としてもよい。
【０１０２】
・上記実施形態において、巻取ローラー８２の軸端部８２ａに逆転抑制機構１５０を備えなくてもよい。この場合には、巻取ローラー８２の慣性モーメントを高くして、容易に回転しないようにすることが望ましい。なお、繰出ローラー８１についても同様である。
【０１０３】
・上記実施形態において、逆転抑制機構１５０は、繰出ローラー８１の軸端部に設けてもよい。この場合、ラチェット１１５など、繰出ローラー８１の逆転防止に係る構成を省略してもよい。
【０１０４】
・上記実施形態において、逆転抑制機構１５０が有する外歯歯車の数は、３つよりも少なくてもよいし、多くてもよい。
・上記実施形態において、ワイパーユニット３４は、前後方向における両方向において液体噴射ヘッド２２のノズル形成面からインクを払拭しなくてもよい。すなわち、前方移動及び後方移動の何れか一方の移動の際に限ってインクを払拭するようにしてもよい。
【０１０５】
・上記実施形態において、ワイパーホルダー３２に係合突起を設けると共に、この係合突起に係合する係合凹部をワイパーカセット３１に設けてもよい。
・上記実施形態において、ワイパーカセット３１の湾曲面９８，９９は、ワイパーカセット３１の外側に向けて凹となる略円弧状に湾曲した形状をなしてもよい。また、ワイパーカセット３１が傾動時にワイパーホルダー３２に干渉されないための干渉回避形状は湾曲形状に限定されず、ワイパーカセット３１の外側面における他の部分よりも内側に退避した形状であれば任意の形状を採用することができる。
【０１０６】
・上記実施形態において、繰出ローラー８１及び巻取ローラー８２の各軸線が上下方向においてずれて配置される場合にあっては、軸交差方向は、前後方向とせずに各ローラー８１，８２の軸線間の距離をなす方向とすればよい。
【０１０７】
・上記実施形態において、棒ばね９０は、板ばねやコイルばねといった他の付勢部材であってもよい。
・上記実施形態において、液体噴射装置は、インク以外の他の液体を噴射したり吐出したりする液体噴射装置であってもよい。なお、液体噴射装置から微小量の液滴となって吐出される液体の状態としては、粒状、涙状、糸状に尾を引くものも含むものとする。また、ここでいう液体は、液体噴射装置から噴射させることができるような材料であればよい。例えば、物質が液相であるときの状態のものであればよく、粘性の高い又は低い液状体、ゾル、ゲル水、その他の無機溶剤、有機溶剤、溶液、液状樹脂、液状金属（金属融液）のような流状体を含むものとする。また、物質の一状態としての液体のみならず、顔料や金属粒子などの固形物からなる機能材料の粒子が溶媒に溶解、分散又は混合されたものなども含むものとする。液体の代表的な例としては上記実施形態で説明したようなインクや液晶等が挙げられる。ここで、インクとは一般的な水性インク及び油性インク並びにジェルインク、ホットメルトインク等の各種液体組成物を包含するものとする。液体噴射装置の具体例としては、例えば、液晶ディスプレイ、ＥＬ（エレクトロルミネッセンス）ディスプレイ、面発光ディスプレイ、カラーフィルターの製造等に用いられる電極材や色材等の材料を分散又は溶解のかたちで含む液体を噴射する液体噴射装置がある。また、バイオチップ製造に用いられる生体有機物を噴射する液体噴射装置、精密ピペットとして用いられ試料となる液体を噴射する液体噴射装置、捺染装置やマイクロディスペンサー等であってもよい。さらに、時計やカメラ等の精密機械にピンポイントで潤滑油を噴射する液体噴射装置、光通信素子等に用いられる微小半球レンズ（光学レンズ）などを形成するために紫外線硬化樹脂等の透明樹脂液を基板上に噴射する液体噴射装置であってもよい。また、基板などをエッチングするために酸又はアルカリ等のエッチング液を噴射する液体噴射装置であってもよい。
【符号の説明】
【０１０８】
１１…プリンター（液体噴射装置の一例）、２２…液体噴射ヘッド、３０…ワイピング部材、３１…ワイパーカセット、３２…ワイパーホルダー、３４…ワイパーユニット、８１…繰出ローラー、８２…巻取ローラー、８２ａ…軸端部、８５…巻取歯車、８９…中継ローラー、９４…中継歯車、９７…係止爪（係止部の一例）、１００…指掛部（力点作用部の一例）、１２０…回転量検出部、１２７…検出歯車、１５０…逆転抑制機構、１５１…回転体、１５２…回転不能体、１５３…外歯歯車、１５４…覆蓋部、１５５…内歯、１５９ａ…回転許容部、１５９ｂ…回転規制部。
【図１】
2014094542.tif 000003
【図２】
2014094542.tif 000004
【図３】
2014094542.tif 000005
【図４】
2014094542.tif 000006
【図５】
2014094542.tif 000007
【図６】
2014094542.tif 000008
【図７】
2014094542.tif 000009
【図８】
2014094542.tif 000010
【図９】
2014094542.tif 000011
【図１０】
2014094542.tif 000012
【図１１】
2014094542.tif 000013
【図１２】
2014094542.tif 000014
【図１３】
2014094542.tif 000015
【図１４】
2014094542.tif 000016
【図１５】
2014094542.tif 000017
【図１６】
2014094542.tif 000018
【図１７】
2014094542.tif 000019
【図１８】
2014094542.tif 000020
【図１９】
2014094542.tif 000021